(57)【要約】      （修正有）【課題】周囲及び後方の安全確認や、使用者自身を視認することにより体調の変化の観察が可能なミラー付きウォーキング運動器具を提供する。【解決手段】ウォーキング運動器具１の、手で把持して人体を支えるための取っ手２，２ａに、周囲及び後方の状況や、使用者自身を視認するためのミラー４を備えて、運動器具を使用中に周囲に不意に他人が近寄った際の安全確認、また、使用者自身の汗のかき具合や顔色などの確認ができるので、他人への傷害防止、熱中症、脱水症の回避が可能となり、安全かつ体調の変化を観察をしながら運動ができるウォーキング運動器具を提供することを可能とした。【選択図】図１
0003132724.tif 000002
【実用新案登録請求の範囲】
【請求項１】
ウォーキング運動器具の、手で把持して人体を支えるための取っ手に、周囲及び後方の状況や、使用者自身を視認するためのミラーを備えたことを特徴とするミラー付きウォーキング運動器具。
【請求項２】
ウォーキング運動器具の、手で把持して人体を支えるための取っ手に、周囲及び後方の状況や、使用者自身を視認するためのミラーを前記取っ手から着脱自在に備えたことを特徴とするミラー付きウォーキング運動器具。
【考案の詳細な説明】
【技術分野】
【０００１】  本考案は、ミラーを取り付けたウォーキング健康器具に関する。
【背景技術】
【０００２】  近年、室内で容易に運動ができる各種の運動器具がブームを呼び、例えばフィットネスサロンや家庭などの室内の少ないスペースでも容易にウォーキング運動や足踏み運動ができる器具が広く利用されるようになった。以下に一般的なこのような器具を示す。【０００３】  例えば特許文献１の実用新案登録第３０６１０５３号公報に開示された「折畳可能な歩行器」では、上体を取っ手で支えながら走行ベルトの上を歩くことで走行ベルトがエンドレスに回転して歩行運動を行う。【０００４】  特許文献２の実用新案登録第３０４２５６９号公報に開示された「折畳み式室内歩行運動装置」及び本考案の図面では、特許文献１と同様に上体を取っ手で支えながらステップに左右それぞれの足を乗せて空中を歩くように歩行動作をすることで歩行運動を行う。【０００５】  特許文献３の実用新案登録第号公報に開示された「足踏み式フィットネス器具」では、前記同様に上体を取っ手で支えながらステップに左右それぞれの足を乗せて足踏み運動を行う。【０００６】  このような運動器具のおかげで、天候や屋外環境、時間を気にすることなく室内でいつでも気軽に歩行などの運動が行えるようになったのである。【０００７】
【特許文献１】  実用新案登録第３０６１０５３号公報
【特許文献２】  実用新案登録第３０４２５６９号公報
【特許文献３】  実用新案登録第３１１１１０４号公報
【考案の開示】
【考案が解決しようとする課題】
【０００８】  ところで、このような健康器具を使用する場合、設置場所がフィットネスクラブのような専用の室内運動施設であれば、部屋の周囲にミラーが備えられており、自分の周囲に不意に他人が近寄った際の安全確認、また、汗のかき具合や顔色などの確認ができるので、他人への傷害防止、熱中症、脱水症の回避が可能となり、安全かつ体調の変化を観察をしながら運動ができる。しかしながら、家庭内でこれら運動器具を使用する場合は、都合良い場所にミラーを備えることは困難である。また、飽きずに運動をするために音楽を聴いたり、テレビを見ながら運動をすることが往々にしてある。このような場合は、自分の周囲や後方への安全確認が疎かになり、特に幼児がいるような場合は注意が必要である。更には自分の汗のかき具合や顔色などの様子の確認ができないので、具合が悪くなって初めて慌てるのである。【０００９】  そこで、本考案は上記した課題を考慮し、周囲の安全確認が可能であり、自己の体調の変化の観察が可能なミラー付きウォーキング運動器具を提供することを目的とするものである。
【課題を解決するための手段】
【００１０】  ウォーキング運動器具の、手で把持して人体を支えるための取っ手に、周囲及び後方の状況や、使用者自身を視認するためのミラーを備えたことで解決される。【００１１】  また、ウォーキング運動器具の、手で把持して人体を支えるための取っ手に、周囲及び後方の状況や、使用者自身を視認するためのミラーを前記取っ手から着脱自在に備えたことで解決される。
【考案の効果】
【００１２】  ウォーキング運動器具の、手で把持して人体を支えるための取っ手に、周囲及び後方の状況や、使用者自身を視認するためのミラーを備えたので、運動器具を使用中、自分の周囲や後方に不意に他人が近寄った際の安全確認、また、使用者自身の汗のかき具合や顔色などの確認ができるので、他人への傷害防止、熱中症、脱水症の回避が可能となり、安全かつ体調の変化を観察をしながら運動ができるウォーキング運動器具を提供することが可能となったものである。【００１３】  また、また、ウォーキング運動器具の、手で把持して人体を支えるための取っ手に、周囲及び後方の状況や、使用者自身を見るためのミラーを前記取っ手から着脱自在に備えたので、前記した効果と合わせて、ミラーが既に室内の周囲に備えられているような状況や、収納時など、必要に応じて適宜取り外すことを可能として利便性を高めたものである。
【考案を実施するための最良の形態】
【００１４】  次に、本考案のミラー付きウォーキング運動器具について、図面を参照して詳細に説明する。図１は、本考案の全体図であり、（１）はミラー付きウォーキング運動器具で、人体の上体を安定して支えるとともに転倒を防止するための取っ手（２）、左右の足それぞれを乗せるステップ（３）、周囲及び後方の状況や、使用者自身を視認するためのミラー（４）から構成されている。【００１５】  図２は、実際にミラー付きウォーキング運動器具（１）に乗って使用する状態を示した図であり、使用者は左右のステップ（３）に左右のそれぞれの足を乗せて、ステップ（３）の動きと連動して揺動する第２の取っ手（２ａ）を把持している。この場合は、足の歩行運動と合わせて腕も前後に振る運動が行われる。もちろん取っ手（２）を把持して足をステップ（３）に乗せることにより足だけの歩行運動を行ってもよいものであり、使用者が状況に応じて適宜選択使用すれば良い。【００１６】  このように構成されたミラー付きウォーキング運動器具（１）の取っ手（２）にはミラー（４）が備えられている。使用者は歩行運動をしながらミラー（４）を視認して、周囲及び後方に他人が近寄らないか気を配ったり、使用者自身の汗のかき具合や顔色などを常に視認して確認することができる。これにより不意に近寄る他人への傷害の防止、熱中症や脱水症を事前に回避することが可能となったものである。【００１７】  次に、本考案の第２の実施例においては、ミラー付きウォーキング運動器具（１）の、手で把持して人体を支えるための取っ手（２）に、ミラー（４）を着脱手段（４ａ）を用いて着脱自在に備えた。本考案では、ミラー（４）の背面からステーを延設し、その先端を取っ手（２）にバンドからなる着脱手段（４ａ）で取り付けたものであり、自転車のバックミラーの取付方法でもよく知られた手段である。着脱可能なミラー（４）の着脱手段（４ａ）については、公知の手段を用いれば事足りる。例えば、ミラー（４）の背面と取っ手（２）との間に面ファスナーを用いれば最も容易に着脱が可能となる。このように着脱可能としたことにより、部屋の周囲に既にミラーが備えられていて、安全確認や使用者自身の健康状態を視認し確認し得る環境であるならばあえてミラー（４）は不必要であるので取り外せば良い。また、ミラー付きウォーキング運動器具（１）からミラー（４）を取り外せば収納する際も極めてスムーズに収まるなど、必要に応じて適宜取り外すことを可能として利便性を高めたものである。【００１８】  なお、ミラー（４）は、広範囲の視認が可能な曲面ミラー、自然な遠近感で視認が可能な平面ミラーを本考案の製造時に適宜選択すれば良い。また、本考案では、ウォーキング運動器具としたが、足踏み式の運動器具もこの概念に含まれるものであり本考案の技術的範囲に含まれることは言うまでもない。更には人体上体を支えるための取っ手（２）を備える運動器具であれば特にウォーキング運動器具に特定されるものではなく、例えばバランス運動器具などに適用しても良く、ウォーキング運動器具に特定されるものではない。
【図面の簡単な説明】
【００１９】
【図１】本考案の全体図である。
【図２】本考案の使用状態を示す図である。
【符号の説明】
【００２０】１          ミラー付きウォーキング運動器具
２、２ａ    取っ手
３          ステップ
４          ミラー
４ａ        着脱手段
【図１】
0003132724.tif 000003
【図２】
0003132724.tif 000004